(57)【要約】  本明細書で説明される様々な態様は、ワイヤレス通信システムにおける単一周波数ネットワーク（ＳＦＮ）型の送信のために１つまたは複数の仮想セル識別子（ＶセルＩＤ）をシグナリングおよび使用するための技法に関する。方法、コンピュータ可読媒体、および装置が提供される。一態様では、方法は、ユーザ機器（ＵＥ）によって、セルＩＤを取得するためにセルサーチを行うことと、ＵＥによって、セルＩＤに基づいてメッセージを復号することと、を含み得、メッセージは、マスタ情報ブロック（ＭＩＢ）を含む。方法は、ＵＥによって、メッセージから復号された情報に基づいて、ＳＦＮ型送信のために使用される仮想セルＩＤを識別することをさらに含み得る。本明細書で説明される技法は、第５世代（５Ｇ）新無線（ＮＲ）通信技法を含む、異なる通信技法に適用し得る。【選択図】  図１Ａ
2020523878.tif 000002
【特許請求の範囲】
【請求項１】
ワイヤレス通信の方法であって、
ユーザ機器（ＵＥ）によって、セル識別子（ＩＤ）を取得するためにセルサーチを行うことと、
前記ＵＥによって、前記セルＩＤに基づいてメッセージを復号することと、ここにおいて、前記メッセージは、マスタ情報ブロック（ＭＩＢ）を含み、
前記ＵＥによって、前記メッセージから復号された情報に基づいて、単一周波数ネットワーク（ＳＦＮ）型送信のために使用される仮想セルＩＤを識別することと
を備える、方法。
【請求項２】
前記ＵＥによって、前記仮想セルＩＤに基づいて複数のセルから前記ＳＦＮ型送信を受信すること
をさらに備える、請求項１に記載の方法。
【請求項３】
前記メッセージは、最小システム情報ブロック（ＭＳＩＢ）を復号するための情報またはページングのための情報をさらに含む、請求項１に記載の方法。
【請求項４】
前記メッセージは、ランダムアクセスのための情報、他のシステム情報（ＯＳＩ）捕捉、またはページングのための情報を含む、ＭＳＩＢをさらに含む、請求項１に記載の方法。
【請求項５】
前記仮想セルＩＤは、１つまたは複数のＭＳＩＢのＳＦＮ型送信のために前記ＭＩＢから復号された前記情報に基づいて識別される、請求項１に記載の方法。
【請求項６】
前記メッセージは、ＭＳＩＢをさらに含み、前記仮想セルＩＤは、ＯＳＩ、メッセージ２（Ｍｓｇ２）、またはメッセージ３（Ｍｓｇ３）のうちの少なくとも１つのＳＦＮ型送信のために前記ＭＳＩＢから復号された前記情報に基づいて識別される、請求項１に記載の方法。
【請求項７】
前記メッセージは、ＭＳＩＢまたはＯＳＩをさらに含み、前記仮想セルＩＤは、アイドルモード中の１つまたは複数のＵＥへの少なくとも１つのページングメッセージのＳＦＮ型送信のために前記メッセージから復号された前記情報に基づいて識別される、請求項１に記載の方法。
【請求項８】
前記仮想セルＩＤは、ランダムアクセスおよびページングのために使用される、請求項１に記載の方法。
【請求項９】
前記仮想セルＩＤは、前記セルＩＤの切り捨てされたバージョンである、請求項１に記載の方法。
【請求項１０】
ワイヤレス通信のための装置であって、
命令を記憶するように構成されたメモリと、
トランシーバと、
前記メモリおよび前記トランシーバと通信可能に結合された少なくとも１つのプロセッサと
を備え、前記少なくとも１つのプロセッサは、
セル識別子（ＩＤ）を取得するためにセルサーチを行うことと、
前記セルＩＤに基づいてメッセージを復号することと、ここにおいて、前記メッセージは、マスタ情報ブロック（ＭＩＢ）を含み、
前記メッセージから復号された情報に基づいて、単一周波数ネットワーク（ＳＦＮ）型送信のために使用される仮想セルＩＤを識別することと
を行うための前記命令を実行するように構成される、装置。
【請求項１１】
前記少なくとも１つのプロセッサは、前記トランシーバを介して、前記仮想セルＩＤに基づいて複数のセルから前記ＳＦＮ型送信を受信するための前記命令を実行するようにさらに構成される、請求項１０に記載の装置。
【請求項１２】
前記メッセージは、最小システム情報ブロック（ＭＳＩＢ）を復号するための情報またはページングのための情報をさらに含む、請求項１０に記載の装置。
【請求項１３】
前記メッセージは、ランダムアクセスのための情報、他のシステム情報（ＯＳＩ）捕捉、またはページングのための情報を含む、ＭＳＩＢをさらに含む、請求項１０に記載の装置。
【請求項１４】
前記仮想セルＩＤは、１つまたは複数のＭＳＩＢのＳＦＮ型送信のために前記ＭＩＢから復号された前記情報に基づいて識別される、請求項１０に記載の装置。
【請求項１５】
前記メッセージは、ＭＳＩＢをさらに含み、前記仮想セルＩＤは、ＯＳＩ、メッセージ２（Ｍｓｇ２）、またはメッセージ３（Ｍｓｇ３）のうちの少なくとも１つのＳＦＮ型送信のために前記ＭＳＩＢから復号された前記情報に基づいて識別される、請求項１０に記載の装置。
【請求項１６】
前記メッセージは、ＭＳＩＢまたはＯＳＩをさらに含み、前記仮想セルＩＤは、アイドルモード中の１つまたは複数のＵＥへの少なくとも１つのページングメッセージのＳＦＮ型送信のために前記メッセージから復号された前記情報に基づいて識別される、請求項１０に記載の装置。
【請求項１７】
前記仮想セルＩＤは、ランダムアクセスおよびページングのために使用される、請求項１０に記載の装置。
【請求項１８】
前記仮想セルＩＤは、前記セルＩＤの切り捨てされたバージョンである、請求項１０に記載の装置。
【請求項１９】
命令を記憶するコンピュータ可読媒体であって、前記命令は、少なくとも１つのプロセッサによって実行されるとき、前記少なくとも１つのプロセッサに、
セル識別子（ＩＤ）を取得するためにセルサーチを行うことと、
前記セルＩＤに基づいてメッセージを復号することと、ここにおいて、前記メッセージは、マスタ情報ブロック（ＭＩＢ）を含み、
前記メッセージから復号された情報に基づいて、単一周波数ネットワーク（ＳＦＮ）型送信のために使用される仮想セルＩＤを識別することと
を行わせる、コンピュータ可読媒体。
【請求項２０】
ワイヤレス通信のための装置であって、
セル識別子（ＩＤ）を取得するためにセルサーチを行うための手段と、
前記セルＩＤに基づいてメッセージを復号するための手段と、ここにおいて、前記メッセージは、マスタ情報ブロック（ＭＩＢ）を含み、
前記メッセージから復号された情報に基づいて、単一周波数ネットワーク（ＳＦＮ）型送信のために使用される仮想セルＩＤを識別するための手段と
を備える、装置。
【請求項２１】
ワイヤレス通信の方法であって、
基地局によって、１つまたは複数の単一周波数ネットワーク（ＳＦＮ）型送信を決定することと、
セルＩＤに基づいてメッセージをブロードキャストすることと、ここにおいて、前記メッセージは、マスタ情報ブロック（ＭＩＢ）を含み、
前記基地局によって、前記決定された１つまたは複数のＳＦＮ型送信のために使用される仮想セル識別子（ＩＤ）を送ることと、
を備える、方法。
【請求項２２】
前記１つまたは複数のＳＦＮ型送信は、同じ仮想セルＩＤを有する複数のセルからの複数のＳＦＮ型送信を含む、請求項２１に記載の方法。
【請求項２３】
前記仮想セルＩＤを送ることは、前記ＭＩＢ中で、ＭＳＩＢ中で、またはＯＳＩを介して、前記仮想セルＩＤを送ることを備える、請求項２１に記載の方法。
【請求項２４】
前記仮想セルＩＤを送ることは、１つまたは複数のＭＳＩＢの前記１つまたは複数のＳＦＮ型送信のために前記ＭＩＢ中で前記仮想セルＩＤを送ることを備える、請求項２１に記載の方法。
【請求項２５】
１つまたは複数のＭＳＩＢの前記１つまたは複数のＳＦＮ型送信は、対応する制御チャネルおよび参照信号の前記１つまたは複数のＳＦＮ型送信を含む、請求項２４に記載の方法。
【請求項２６】
前記仮想セルＩＤを送ることは、ＯＳＩ、Ｍｓｇ２、またはＭｓｇ３のうちの少なくとも１つの前記１つまたは複数のＳＦＮ型送信のためにＭＳＩＢ中で前記仮想セルＩＤを送ることを備える、請求項２１に記載の方法。
【請求項２７】
ＯＳＩ、Ｍｓｇ２、またはＭｓｇ３のうちの少なくとも１つの前記１つまたは複数のＳＦＮ型送信は、対応する制御チャネルおよび参照信号の前記１つまたは複数のＳＦＮ型送信を含む、請求項２６に記載の方法。
【請求項２８】
前記仮想セルＩＤを送ることは、アイドルモード中の１つまたは複数のＵＥへの少なくともページングメッセージの前記１つまたは複数のＳＦＮ型送信のために、前記ＭＩＢ、ＭＳＩＢ、またはＯＳＩ中で前記仮想セルＩＤを送ることを備える、請求項２１に記載の方法。
【請求項２９】
前記仮想セルＩＤは、ランダムアクセスおよびページングのために使用される、請求項２１に記載の方法。
【請求項３０】
前記仮想セルＩＤは、前記セルＩＤの切り捨てされたバージョンである、請求項２１に記載の方法。
【請求項３１】
ワイヤレス通信のための装置であって、
命令を記憶するように構成されたメモリと、
トランシーバと、
前記メモリおよび前記トランシーバと通信可能に結合された少なくとも１つのプロセッサと
を備え、前記少なくとも１つのプロセッサは、
１つまたは複数の単一周波数ネットワーク（ＳＦＮ）型送信を決定することと、
前記トランシーバを介して、セルＩＤに基づいてメッセージをブロードキャストすることと、ここにおいて、前記メッセージは、マスタ情報ブロック（ＭＩＢ）を含み、
前記トランシーバを介して、前記決定された１つまたは複数のＳＦＮ型送信のために使用される仮想セル識別子（ＩＤ）を送ることと、
を行うための前記命令を実行するように構成される、装置。
【請求項３２】
前記１つまたは複数のＳＦＮ型送信は、同じ仮想セルＩＤを有する複数のセルからの複数のＳＦＮ型送信を含む、請求項３１に記載の装置。
【請求項３３】
前記仮想セルＩＤを送ることは、前記トランシーバを介して、前記ＭＩＢ中で、ＭＳＩＢ中で、またはＯＳＩを介して、前記仮想セルＩＤを送ることを備える、請求項３１に記載の装置。
【請求項３４】
前記仮想セルＩＤを送ることは、前記トランシーバを介して、１つまたは複数のＭＳＩＢの前記１つまたは複数のＳＦＮ型送信のために前記ＭＩＢ中で前記仮想セルＩＤを送ることを備える、請求項３１に記載の装置。
【請求項３５】
１つまたは複数のＭＳＩＢの前記１つまたは複数のＳＦＮ型送信は、対応する制御チャネルおよび参照信号の前記１つまたは複数のＳＦＮ型送信を含む、請求項３４に記載の装置。
【請求項３６】
前記仮想セルＩＤを送ることは、前記トランシーバを介して、ＯＳＩ、Ｍｓｇ２、またはＭｓｇ３のうちの少なくとも１つの前記１つまたは複数のＳＦＮ型送信のためにＭＳＩＢ中で前記仮想セルＩＤを送ることを備える、請求項３１に記載の装置。
【請求項３７】
ＯＳＩ、Ｍｓｇ２、またはＭｓｇ３のうちの少なくとも１つの前記１つまたは複数のＳＦＮ型送信は、対応する制御チャネルおよび参照信号の前記１つまたは複数のＳＦＮ型送信を含む、請求項３６に記載の装置。
【請求項３８】
前記仮想セルＩＤを送ることは、前記トランシーバを介して、アイドルモード中の１つまたは複数のＵＥへの少なくともページングメッセージの前記１つまたは複数のＳＦＮ型送信のために、前記ＭＩＢ、ＭＳＩＢ、またはＯＳＩ中で前記仮想セルＩＤを送ることを備える、請求項３１に記載の装置。
【請求項３９】
前記仮想セルＩＤは、ランダムアクセスおよびページングのために使用される、請求項３１に記載の装置。
【請求項４０】
前記仮想セルＩＤは、前記セルＩＤの切り捨てされたバージョンである、請求項３１に記載の装置。
【請求項４１】
命令を記憶するコンピュータ可読媒体であって、前記命令は、少なくとも１つのプロセッサによって実行されるとき、前記少なくとも１つのプロセッサに、
１つまたは複数の単一周波数ネットワーク（ＳＦＮ）型送信を決定することと、
前記トランシーバを介して、セルＩＤに基づいてメッセージをブロードキャストすることと、ここにおいて、前記メッセージは、マスタ情報ブロック（ＭＩＢ）を含み、
前記トランシーバを介して、前記決定された１つまたは複数のＳＦＮ型送信のために使用される仮想セル識別子（ＩＤ）を送ることと、
を行わせる、コンピュータ可読媒体。
【請求項４２】
ワイヤレス通信のための装置であって、
１つまたは複数の単一周波数ネットワーク（ＳＦＮ）型送信を決定するための手段と、
セルＩＤに基づいてメッセージをブロードキャストするための手段と、ここにおいて、前記メッセージは、マスタ情報ブロック（ＭＩＢ）を含み、
前記決定された１つまたは複数のＳＦＮ型送信のために使用される仮想セル識別子（ＩＤ）を送るための手段と
を備える、装置。
【発明の詳細な説明】
【関連出願の相互参照】
【０００１】
[0001]  本特許出願は、２０１８年６月１１日付で出願された「SIGNALING AND USING VIRTUAL CELL IDENTIFICATION FOR SFN-TYPE TRANSMISSIONS」と題された米国非仮出願第１６／００５，１８１号、および２０１７年６月１６日付で出願された「SIGNALING AND USING VIRTUAL CELL IDENTIFICATION FOR SFN-TYPE TRANSMISSIONS」と題された米国仮特許出願第６２／５２０，７６６号に対する優先権を主張し、その内容は、それら全体が明示的に組み込まれている。
【背景技術】
【０００２】
[0002]  本開示の態様は、一般に、ワイヤレス通信システムに関し、より具体的には、ワイヤレス通信システム（例えば、５Ｇ新無線システム）における単一周波数ネットワーク（ＳＦＮ）型送信（single frequency network (SFN)-type transmissions）のための仮想セル識別子（ＶセルＩＤ：virtual cell identification）をシグナリングおよび使用するための技法に関する。
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、都市、国家、地域、さらには地球規模で異なるワイヤレスデバイスが通信することを可能にする共通プロトコルを提供するために様々な電気通信規格において採用されている。例となる電気通信規格は、ロングタームエボリューション（ＬＴＥ（登録商標））またはＬＴＥ−Ａｄｖａｎｃｅｄ（ＬＴＥ−Ａ）である。しかしながら、ＬＴＥまたはＬＴＥ−Ａシステムなどの多元接続システムが新しくなればなるほど、過去の技術よりもデータスループットをより早く搬送できるが、このような増加したダウンリンクレートが、モバイルデバイス上で使用するためのまたはモバイルデバイスを用いた高解像度グラフィックおよびビデオなどの高帯域幅コンテンツに対するさらなる需要を引き起こしている。このように、ワイヤレス通信システムにおける、帯域幅、より高いデータレート、より良い送信品質並びにより良いスペクトル利用、および低レイテンシに対する需要が増加し続けている。
【０００５】
[0005]  広範囲のスペクトル中で使用される第５世代（５Ｇ）新無線（ＮＲ）通信技術は、現在のモバイルネットワーク世代に関する様々な使用シナリオとアプリケーションを拡大し、かつサポートすることが想定される。一態様では、５Ｇ ＮＲ通信技術は、例えば：マルチメディアコンテンツ、サービス、およびデータへのアクセスのための、ヒューマン・セントリックな（human-centric）使用ケースを扱う発展型モバイルブロードバンド（ｅＭＢＢ：enhanced mobile broadband）；特にレイテンシおよび信頼性に関して厳格な要件を有する、超高信頼な低レイテンシ通信（ＵＲＬＬＣ：ultra-reliable low-latency communications）；非常に多くの接続デバイスのための、および比較的少ない量の遅延にセンシティブではない情報を通常送信する、大規模マシンタイプ通信（ｍＭＴＣ：massive machine type communications）、を含む。モバイルブロードバンドアクセスに対する需要が増加し続けるにつれて、５Ｇ通信技術およびそれ以降の技術のさらなる改善が必要となる。好ましくは、これらの改善は、他の多元接続技術、およびこれらの技術を採用する電気通信規格に適用可能であるべきである。
【０００６】
[0006]  従って、データレートを増加させ、容量をより大きくし、かつシステム信頼性をより高める必要があるので、例えば５Ｇ ＮＲ通信などのワイヤレス通信において、サービス、波形、およびエアインターフェース設計を強化し、消費者の需要を満足させ、かつユーザ体験を改善するために、ＳＦＮ型の送信、ＳＦＮとビームスイーピングとの組み合わせ、および／またはＳＦＮ型の送信のためのＶセルＩＤの発展型シグナリングおよび使用、を使用することによってリソース利用およびエネルギー効率を改善するための、新たなアプローチが望ましいだろう。
【発明の概要】
【０００７】
[0007]  以下で、１つまたは複数の態様の基本的理解を提供するために、そのような態様の簡略化された概要を提示する。この概要は、全ての企図された態様の包括的な概観ではなく、また、全ての態様の主要なまたは重要な要素を識別することも、いずれかまたは全ての態様の範囲を定めることも意図していない。その目的は、後で提示するより詳細な説明の導入として、１つまたは複数の態様のいくつかの概念を簡略化された形で提示することである。
【０００８】
[0008]  一例によると、ワイヤレス通信システムにおける単一周波数ネットワーク（ＳＦＮ）型の送信のための仮想セル識別子（ＶセルＩＤ）のシグナリングおよび使用に関連した方法が提供される。方法は、ユーザ機器（ＵＥ）によって、セルＩＤを取得するためにセルサーチを行うことと、ＵＥによって、セルＩＤに基づいてメッセージを復号することと、を含み得、メッセージは、マスタ情報ブロック（ＭＩＢ）を含む。方法は、ＵＥによって、メッセージから復号された情報に基づいて、ＳＦＮ型送信のために使用される仮想セルＩＤを識別することをさらに含み得る。
【０００９】
[0009]  本開示の態様は、命令を記憶するように構成されたメモリと、トランシーバと、メモリおよびトランシーバと通信可能に結合された少なくとも１つのプロセッサと、を有するワイヤレス通信のための装置を含み、少なくとも１つのプロセッサは、セル識別子（ＩＤ）を取得するためにセルサーチを行うことと、セルＩＤに基づいてメッセージを復号することと、ここにおいて、メッセージは、マスタ情報ブロック（ＭＩＢ）を含み、メッセージから復号された情報に基づいて、単一周波数ネットワーク（ＳＦＮ）型送信のために使用される仮想セルＩＤを識別することと、を行うための命令を実行するように構成される。
【００１０】
[0010]  一態様では、本開示は、少なくとも１つのプロセッサによって実行されるとき、少なくとも１つのプロセッサに、セル識別子（ＩＤ）を取得するためにセルサーチを行うことと、セルＩＤに基づいてメッセージを復号することと、ここにおいて、メッセージは、マスタ情報ブロック（ＭＩＢ）を含み、メッセージから復号された情報に基づいて、単一周波数ネットワーク（ＳＦＮ）型送信のために使用される仮想セルＩＤを識別することと、を行わせる命令を記憶するコンピュータ可読媒体を含む。
【００１１】
[0011]  本開示の態様は、セル識別子（ＩＤ）を取得するためにセルサーチを行うための手段と、セルＩＤに基づいてメッセージを復号するための手段と、ここにおいて、メッセージは、マスタ情報ブロック（ＭＩＢ）を含み、メッセージから復号された情報に基づいて、単一周波数ネットワーク（ＳＦＮ）型送信のために使用される仮想セルＩＤを識別するための手段と、を含むワイヤレス通信のための装置を含む。
【００１２】
[0012]  一態様では、ワイヤレス通信システムにおけるＳＦＮ型の送信のためのＶセルＩＤのシグナリングおよび使用に関連した別の方法が提供される。方法は、基地局によって、１つまたは複数のＳＦＮ型送信を決定することと、セルＩＤに基づいてメッセージをブロードキャストすることと、ここにおいて、メッセージは、マスタ情報ブロックを含み、基地局によって、決定された１つまたは複数のＳＦＮ型送信のために使用されるＶセルＩＤを送ることと、を含む。
【００１３】
[0013]  いくつかの態様では、本開示は、命令を記憶するように構成されたメモリと、トランシーバと、メモリおよびトランシーバと通信可能に結合された少なくとも１つのプロセッサと、を含み、少なくとも１つのプロセッサは、１つまたは複数の単一周波数ネットワーク（ＳＦＮ）型送信を決定することと、トランシーバを介して、セルＩＤに基づいてメッセージをブロードキャストすることと、ここにおいて、メッセージは、マスタ情報ブロック（ＭＩＢ）を含み、トランシーバを介して、決定された１つまたは複数のＳＦＮ型送信のために使用される仮想セル識別子（ＩＤ）を送ることと、を行うための命令を実行するように構成される、ワイヤレス通信のための装置を含む。
【００１４】
[0014]  本開示のいくつかの態様は、少なくとも１つのプロセッサによって実行されるとき、少なくとも１つのプロセッサに、１つまたは複数の単一周波数ネットワーク（ＳＦＮ）型送信を決定することと、トランシーバを介して、セルＩＤに基づいてメッセージをブロードキャストすることと、ここにおいて、メッセージは、マスタ情報ブロック（ＭＩＢ）を含み、トランシーバを介して、決定された１つまたは複数のＳＦＮ型送信のために使用される仮想セル識別子（ＩＤ）を送ることと、を行わせる命令を記憶するコンピュータ可読媒体を含む。
【００１５】
[0015]  一態様では、本開示は、１つまたは複数の単一周波数ネットワーク（ＳＦＮ）型送信を決定するための手段と、セルＩＤに基づいてメッセージをブロードキャストするための手段と、ここにおいて、メッセージは、マスタ情報ブロック（ＭＩＢ）を含み、決定された１つまたは複数のＳＦＮ型送信のために使用される仮想セル識別子（ＩＤ）を送るための手段と、を含むワイヤレス通信のための装置を含む。
【００１６】
[0016]  上記のおよび関係する目的を達成するために、１つまたは複数の態様が以下で十分に説明され、特に特許請求の範囲で指摘される特徴を備える。以下の説明および添付の図面は、１つまたは複数の態様のうちのいくつかの例示的な特徴を詳細に記載する。しかしながら、これらの特徴は、様々な態様の原理を採用することができる様々な方法のほんのいくつかを示すものであり、この説明は、全てのそのような態様およびそれらの均等物を含むことを意図する。
【００１７】
[0017]  本明細書で説明される態様のより完全な理解を可能にするために、添付の図面に対する参照がなされ、ここで、同様の要素は、同様の数字を用いて参照される。これらの図面は、本開示を限定するものとして解釈すべきではなく、例示的なものに過ぎない。
【図面の簡単な説明】
【００１８】
【図１Ａ】[0018]  図１Ａは、本願に説明される態様の１つまたは複数に従った、単一周波数ネットワーク（ＳＦＮ）型送信のための仮想セル識別子（ＶセルＩＤ）のシグナリングおよび使用のための、ユーザ機器と１つまたは複数の基地局とを含むワイヤレス通信システム（例えば、５Ｇ ＮＲシステム）の第１の例を図示するブロック図である。
【図１Ｂ】[0019]  図１Ｂは、本願に説明される態様の１つまたは複数に従った、ＳＦＮ型送信のためのＶセルＩＤのシグナリングおよび使用のための、ユーザ機器と１つまたは複数の基地局とを含むワイヤレス通信システム（例えば、５Ｇ ＮＲシステム）の第２の例を図示するブロック図である。
【図２】[0020]  図２は、本願に説明される態様の１つまたは複数に従った、ユニキャスト送信とＳＦＮ送信との２つの型の送信を図示する、２つの例である。
【図３Ａ】[0021]  図３Ａは、本願に説明される態様の１つまたは複数に従った、ＶセルＩＤのシグナリングおよび受信に関連したアクセスプロシージャのブロック図の第１の例である。
【図３Ｂ】[0022]  図３Ｂは、本願に説明される態様の１つまたは複数に従った、１つまたは複数の処理のために使用されるＶセルＩＤのシグナリングおよび受信に関連したアクセスプロシージャのブロック図の第２の例である。
【図４】[0023]  図４は、本願に説明される態様の１つまたは複数に従った、ＳＦＮ型送信のために使用されるセルＩＤおよびＶセルＩＤを用いた表の例である。
【図５】[0024]  図５は、本願に説明される態様の１つまたは複数に従った、ＳＦＮ型送信のためのＶセルＩＤをシグナリングおよび使用する、第１の例となる方法のフローチャートである。
【図６】[0025]  図６は、本願に説明される態様の１つまたは複数に従った、ＳＦＮ型送信のためのＶセルＩＤをシグナリングおよび使用する、第２の例となる方法のフローチャートである。
【詳細な説明】
【００１９】
[0026]  ワイヤレス通信システム（例えば、セルラシステム、または５Ｇ ＮＲシステム）では、ネットワーク（例えば、基地局、またはｇＮＢ）から複数の（例えば、多くの組の）受信機（例えば、ユーザ機器（ＵＥ））に、何らかの情報がシグナリングまたは搬送され得る（または搬送されることを目的とする）。いくつかの例では、その情報は、システム情報、共通制御信号、ページングメッセージ、および／または公的警告（public warning）であり得る。一態様では、ブロードキャストメッセージは通常、異なるチャネルコンディションまたは環境で、異なる受信機またはＵＥが情報を復号する必要があり得るため、高い信頼性要件を有している。いくつかのケースでは、低次変調（または変調フォーマット）および／または低コードレートが使用され得る。ビームフォーミングされた通信（例えば、ミリ波（ｍｍＷ）、あるいは、１つまたは複数の他の帯域中）のいくつかの例では、ビームスイーピングが使用され得る。一態様では、通常、幅（例えば、ビーム幅）の狭いビームが１つのターゲットＵＥに対して使用され得、複数のＵＥに１つまたは複数のメッセージをブロードキャストまたはページングするために、ビームスイーピングが行われ得る。
【００２０】
[0027]  しかしながら、いくつかの態様では、ブロードキャストメッセージ（またはページングメッセージ）は、高い信頼性要件および／またはビームスイーピングのために、リソースが集中する（resource intensive）ことがよくある。いくつかのケースでは、ブロードキャストまたはページングメッセージは、複数のセルエリアをカバーし得る。いくつかの例では、同期展開のために、ブロードキャストメッセージの単一周波数ネットワーク（ＳＦＮ）型の送信、またはＳＦＮとビームスイーピングとの組み合わせを可能にすることによって、全体のリソース消費が低減され、システムの信頼性が向上し得る。
【００２１】
[0028]  いくつかの態様では、ＳＦＮ型送信のために、複数のセル、送信地点（ＴＸＰ：transmit points）、および／または基地局（例えば、ｇＮＢ）は、同じＶセルＩＤを使用または共有し得、それらは、前もって（例えば、ＳＦＮ型送信の前に）シグナリングおよび／または構成され得る。例えば、ＵＥは、前もって（例えば、ＳＦＮ型通信の前に）ＶセルＩＤを認識しているかまたは示され得る。一例では、いくつかのブロードキャストメッセージは、ＲＲＣ＿ＩＤＬＥ状態またはモード中のＵＥ向けのものであり、従って、ＶセルＩＤは、接続セットアップが完了する前に搬送される必要があり得る。
【００２２】
[0029]  添付の図面に関して以下に示す詳細な説明は、様々な構成を説明するものであり、本明細書で説明する概念が実施され得る唯一の構成を表すことを意図するものではない。詳細な説明は、様々な概念の完全な理解を提供するための具体的な詳細を含む。しかしながら、これらの概念はこれらの具体的な詳細なしに実施され得ることが当業者には明らかだろう。いくつかの例では、そのような概念を曖昧にすることを避けるために、周知のコンポーネントがブロック図の形式で示される。
【００２３】
[0030]  ここで、電気通信システムのいくつかの態様が、様々な装置および方法に関連して提示される。これらの装置および方法は、以下の詳細な説明において記述され、添付の図面において、様々なブロック、モジュール、コンポーネント、回路、ステップ、処理、アルゴリズムなど（集合的に「要素」と呼ばれる）により説明される。これらの要素は、電子ハードウェア、コンピュータソフトウェア、またはそれらの任意の組み合わせを使用して実装され得る。このような要素がハードウェアとして実装されるか、またはソフトウェアとして実装されるかは、特定のアプリケーションおよび全体的なシステムに課された設計制約に依存する。
【００２４】
[0031]  例として、要素、または要素の任意の部分、または要素の任意の組み合わせは、１つまたは複数のプロセッサを含む「処理システム」を用いて実装され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能を行うように構成された他の適切なハードウェアを含む。処理システム中の１つまたは複数のプロセッサはソフトウェアを実行し得る。ソフトウェアは、ソフトウェア、ファームウェア、ミドルウェア、マイクロコード、ハードウェア記述言語と呼ばれようと、または他の名称で呼ばれようと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２５】
[0032]  従って、１つまたは複数の態様では、説明された機能は、ハードウェア、ソフトウェア、ファームウェア、またはこれらの任意の組み合わせで実装され得る。ソフトウェアで実装される場合、機能は、コンピュータ可読媒体上に記憶されるか、またはコンピュータ可読媒体上に１つまたは複数の命令またはコードとして符号化され得る。コンピュータ可読媒体は、コンピュータ記憶媒体を含む。記憶媒体は、コンピュータによってアクセス可能な任意の利用可能な媒体であり得る。限定ではなく例として、このようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコードを搬送または記憶するために使用され得、かつコンピュータによってアクセスされ得る、任意の他の媒体を備え得る。本明細書で使用されるディスク（disk）およびディスク（disc）は、コンパクトディスク（ＣＤ）、レーザーディスク（登録商標）、光学ディスク、デジタル多用途ディスク（ＤＶＤ）、並びにフロッピー（登録商標）ディスクを含み、ここで、ディスク（disk）は通常、データを磁気的に再生し、ディスク（disc）は、データをレーザで光学的に再生する。上記の組み合わせもまた、コンピュータ可読媒体の範囲内に含めるべきである。いくつかの態様では、コンピュータ可読媒体は、非一時的であり得るか、または非一時的コンピュータ可読記憶媒体を含み得る。
【００２６】
[0033]  ワイヤレス通信システム（例えば、５Ｇ ＮＲシステム）に関連した様々な態様、具体的には、ＳＦＮ型の送信のためのＶセルＩＤをシグナリングおよび使用するための技法が、本明細書で説明される。いくつかの態様では、各セルはセルＩＤを有しており、それは、多くの組のセルＩＤから再利用され得、セルサーチプロシージャによって捕捉され得る。いくつかの例では、セルＩＤは、１つまたは複数のセル固有の参照信号（ＲＳ：reference signal）パターンおよび／またはスクランブリングコードを決定し得る。例えば、１つまたは複数のセル固有のＲＳパターンおよび／またはスクランブリングコードは、１つまたは複数のターゲットＵＥ（例えば、１組のＵＥ）のために使用され得る。従来の通信システム（例えば、ＬＴＥシステム）では、ＶセルＩＤは、ＲＲＣ＿ＣＯＮＮＥＣＴＥＤ状態またはモード中の１つまたは複数のＵＥに、ネットワークからの専用シグナリング（dedicated signaling）によって提供され得る。いくつかの例では、ＶセルＩＤは、調整されたまたはＳＦＮ型送信のための同じＲＳパターンおよび／またはスクランブリングコードを複数のセルの構成が使用するために使用され得る。
【００２７】
[0034]  ５Ｇ ＮＲのいくつかの態様では、ＶセルＩＤは、アイドルモードおよび／または接続モード中の１つまたは複数のＵＥに提供または搬送され得る。いくつかのケースでは、ＲＲＣ＿ＣＯＮＮＥＣＴＥＤ ＵＥに関して、ＶセルＩＤは、専用シグナリング、または本明細書で論じられる任意の適切なシグナリングを介して（例えば、マスタ情報ブロック（ＭＩＢ）、または最小システム情報ブロック（ＭＳＩＢ）を介して）提供され得る。
【００２８】
[0035]  上述された態様の各々は、図１〜６に関連して実行または実装され、下記でより詳細に説明される。
【００２９】
[0036]  図１Ａを参照すると、一態様では、ワイヤレス通信システム１００は、少なくとも１つのネットワークエンティティ１４またはネットワークエンティティ２０（例えば、５Ｇ ＮＲネットワーク中の基地局またはｇＮＢ、あるいはそれらのセル）の通信カバレッジ中の少なくとも１つのＵＥ１２を含む。ＵＥ１２は、ネットワークエンティティ１４またはネットワークエンティティ２０を介してネットワークと通信し得る。いくつかの態様では、ＵＥ１２を含む複数のＵＥは、ネットワークエンティティ１４およびネットワークエンティティ２０を含む１つまたは複数のネットワークエンティティを有する通信カバレッジ内にあり得る。一態様では、ネットワークエンティティ１４またはネットワークエンティティ２０は、５Ｇ ＮＲネットワーク中のｇＮＢなどの基地局であり得る。様々な態様がＵＭＴＳ、ＬＴＥ、または５Ｇ ＮＲネットワークに関して説明されるが、同様の原理が、他のワイヤレスワイドエリアネットワーク（ＷＷＡＮ）に適用され得る。ワイヤレスネットワークは、チャネル上で複数の基地局が送信し得るスキームを用い得る。一例では、ＵＥ１２は、ネットワークエンティティ１４および／またはネットワークエンティティ２０におよび／またはそれらから、ワイヤレス通信（例えば、ビームフォーミングまたはビーム）を送信および／または受信し得る。例えば、ＵＥ１２は、ネットワークエンティティ１４および／またはネットワークエンティティ２０とアクティブに通信している可能性がある。
【００３０】
[0037]  いくつかの態様では、ＵＥ１２は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの適切な専門用語で呼ばれ得る（同様に、本明細書では置き換えて使用することができる）。ＵＥ１２は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、グローバルポジショニングシステム（ＧＰＳ）デバイス、マルチメディアデバイス、ビデオデバイス、デジタルオーディオプレイヤ（例えば、ＭＰ３プレイヤ）、カメラ、ゲームコンソール、ウェアラブルコンピューティングデバイス（例えば、スマートウォッチ、スマート眼鏡、ヘルスまたはフィットネストラッカー（health or fitness tracker）など）、電気機器、センサ、車両通信システム、医療デバイス、自動販売機、モノのインターネット（the Internet-of-Things）に関するデバイス、または任意の他の同様に機能するデバイスであり得る。さらに、ネットワークエンティティ１４またはネットワークエンティティ２０は、マイクロセル、ピコセル、フェムトセル、中継器、ノードＢ、モバイルノードＢ、スモールセルボックス、ＵＥ（例えば、ＵＥ１２とピア・ツー・ピアまたはアドホックモードで通信する）、または、ＵＥ１２においてワイヤレスネットワークアクセスを提供するためにＵＥ１２と通信することができる、事実上いかなるタイプのコンポーネントでもあり得る。
【００３１】
[0038]  本明細書の態様によると、ＵＥ１２は、セル管理コンポーネント４０、セルサーチコンポーネント４２、デコーダ４４、および／または識別器４６との組み合わせで動作し得る、１つまたは複数のプロセッサ１０３およびメモリ１３０を含み得る。いくつかの例では、セル管理コンポーネント４０は、ＳＦＮ型通信のためのＶセルＩＤを受信および使用するように構成され得る。一態様では、セルサーチコンポーネント４２は、１つまたは複数のセルＩＤを取得するためにセルサーチを行うように構成され得る。一態様では、デコーダ４４は、システム情報、ＶセルＩＤ、リソース、および／またはページング情報を取得するために、（例えば、ネットワークエンティティ１４または２０から受信した）ＭＩＢおよび／またはＭＳＩＢを復号するように構成され得る。別の態様では、識別器４６は、ＳＦＮ型送信のために使用されるＶセルＩＤ、および／または本明細書で説明されるような関連した動作を識別することを行うように構成され得る。
【００３２】
[0039]  一態様では、本明細書で使用される「コンポーネント」という用語は、システムを構成する部分のうちの１つであり得、ハードウェア、ファームウェア、および／またはソフトウェアであり得、他のコンポーネントに分割され得る。セル管理コンポーネント４０は、トランシーバ１０６に通信可能に結合され得、それは、ＲＦ信号を受信および処理するための受信機３２と、ＲＦ信号を処理および送信するための送信機３４とを含み得る。セル管理コンポーネント４０は、暗号化／復号（ciphering/deciphering）管理および動作を行うためのセルサーチコンポーネント４２および／またはデコーダ４４を含み得る。プロセッサ１０３は、少なくとも１つのバス１１０を介して、トランシーバ１０６およびメモリ１３０に結合され得る。
【００３３】
[0040]  受信機３２は、データを受信するための、ハードウェア、ファームウェア、および／またはプロセッサによって実行可能なソフトウェアコードを含み得、コードは、命令を備えかつメモリ（例えば、コンピュータ可読媒体）に記憶される。受信機３２は、例えば、無線周波数（ＲＦ：radio frequency）受信機であり得る。一態様では、受信機３２は、ＵＥ１２またはネットワークエンティティ１４／２０によって送信される信号を受信し得る。受信機３２は、信号の測定結果を取得し得る。例えば、受信機３２は、Ｅｃ／Ｉｏ、ＳＮＲなどを決定し得る。
【００３４】
[0041]  送信機３４は、データを送信するための、ハードウェア、ファームウェア、および／またはプロセッサによって実行可能なソフトウェアコードを含み得、コードは、命令を備えかつメモリ（例えば、コンピュータ可読媒体）に記憶される。送信機３４は、例えば、ＲＦ送信機であり得る。
【００３５】
[0042]  一態様では、１つまたは複数のプロセッサ１０３は、１つまたは複数のモデムプロセッサを使用するモデム１０８を含み得る。セル管理コンポーネント４０に関連した様々な機能は、モデム１０８および／またはプロセッサ１０３に含まれ得、一態様では、単一のプロセッサによって実行され得るが、一方、他の態様では、それら機能のうちの異なる複数のものは、２つ以上の異なるプロセッサの組み合わせによって実行され得る。例えば、一態様では、１つまたは複数のプロセッサ１０３は、モデムプロセッサ、またはベースバンドプロセッサ、またはデジタルシグナルプロセッサ、または送信プロセッサ、またはトランシーバ１０６に関連するトランシーバプロセッサのうちの任意の１つ、またはそれらの任意の組み合わせを含み得る。具体的には、１つまたは複数のプロセッサ１０３は、セルサーチコンポーネント４２、デコーダ４４、および／または識別器４６を含む、セル管理コンポーネント４０中に含まれるコンポーネントを実装し得る。
【００３６】
[0043]  セル管理コンポーネント４０、セルサーチコンポーネント４２、デコーダ４４、および／または識別器４６は、ＶセルＩＤのシグナリング、使用、管理、および動作を行うための、ハードウェア、ファームウェア、および／または、プロセッサによって実行可能なソフトウェアコードを含み得る。例えば、ハードウェアは、例えば、ハードウェア加速器、または特殊プロセッサを含み得る。
【００３７】
[0044]  さらに、一態様では、ＵＥ１２は、無線送信、例えばワイヤレス通信２６を受信および送信するための、ＲＦフロントエンド１０４およびトランシーバ１０６を含み得る。例えば、トランシーバ１０６は、１つまたは複数の信号（例えば、ＰＲＡＣＨ）を送信または受信し得る。トランシーバ１０６は、信号品質を決定するために、およびネットワークエンティティ１４または２０にフィードバックを提供するために、受信したパイロット信号を測定し得る。例えば、トランシーバ１０６は、セル管理コンポーネント４０によって生成されるメッセージを送信し、かつメッセージを受信するために、モデム１０８と通信し得、セル管理コンポーネント４０にそれらを転送し（forward）得る。
【００３８】
[0045]  ＲＦフロントエンド１０４は、１つまたは複数のアンテナ１０２に接続され得、ＲＦ信号を送信および受信するための１つまたは複数の低雑音増幅器（ＬＮＡ：low-noise amplifiers）１４１、１つまたは複数のスイッチ１４２、１４３、１つまたは複数の電力増幅器（ＰＡ：power amplifiers）１４５、および１つまたは複数のフィルタ１４４を含み得る。一態様では、ＲＦフロントエンド１０４のコンポーネントは、トランシーバ１０６と接続し得る。トランシーバ１０６は、１つまたは複数のモデム１０８およびプロセッサ１０３に接続し得る。
【００３９】
[0046]  一態様では、ＬＮＡ１４１は、所望の出力レベルで受信信号を増幅させることができる。一態様では、各ＬＮＡ１４１は、指定された最小および最大利得値を有し得る。一態様では、ＲＦフロントエンド１０４は、特定のアプリケーションのための所望の利得値に基づいて、特定のＬＮＡ１４１およびそれの指定された利得値を選択するために、１つまたは複数のスイッチ１４２、１４３を使用し得る。一態様では、ＲＦフロントエンド１０４は、セル管理コンポーネント４０に測定結果（例えば、Ｅｃ／Ｉｏ）および／または適用された利得値を提供し得る。
【００４０】
[0047]  さらに、例えば、ＲＦ出力のための信号を所望の出力電力レベルで増幅させるために、１つまたは複数のＰＡ１４５がＲＦフロントエンド１０４によって使用され得る。一態様では、各ＰＡ１４５は、指定された最小および最大利得値を有し得る。一態様では、ＲＦフロントエンド１０４は、特定のアプリケーションのための所望の利得値に基づいて、特定のＰＡ１４５およびそれの指定された利得値を選択するために、１つまたは複数のスイッチ１４３、１４６を使用し得る。
【００４１】
[0048]  また、例えば、１つまたは複数のフィルタ１４４は、入力ＲＦ信号を取得するための受信信号をフィルタするために、ＲＦフロントエンド１０４によって使用され得る。同様に、一態様では、例えば、それぞれのフィルタ１４４は、送信のための出力信号を生成するために、それぞれのＰＡ１４５からの出力をフィルタするために使用され得る。一態様では、各フィルタ１４４は、特定のＬＮＡ１４１および／またはＰＡ１４５に接続され得る。一態様では、ＲＦフロントエンド１０４は、トランシーバ１０６および／またはプロセッサ１０３によって指定された構成に基づいて、指定されたフィルタ１４４、ＬＮＡ１４１、および／またはＰＡ１４５を使用して送信または受信経路を選択するために、１つまたは複数のスイッチ１４２、１４３、１４６を使用し得る。
【００４２】
[0049]  トランシーバ１０６は、アンテナ１０２を通じてＲＦフロントエンド１０４を介してワイヤレス信号を送信および受信するように構成され得る。一態様では、トランシーバは、例えば、ネットワークエンティティ１４またはネットワークエンティティ２０とＵＥ１２が通信することができるように、指定された周波数で動作するように調整され得る。一態様では、例えば、モデム１０８は、モデム１０８によって使用される通信プロトコルおよびＵＥ１２のＵＥ構成に基づいて、指定された周波数および電力レベルで動作するようにトランシーバ１０６を構成することができる。
【００４３】
[0050]  一態様では、モデム１０８は、マルチバンドマルチモードモデムであり得、それは、デジタルデータを処理し、トランシーバ１０６を使用してデジタルデータが送られるおよび受信されるように、トランシーバ１０６と通信し得る。一態様では、モデム１０８は、マルチバンドであり得、特定の通信プロトコルについて複数の周波数バンドをサポートするように構成され得る。一態様では、モデム１０８は、マルチモードであり得、複数の動作ネットワークおよび通信プロトコルをサポートするように構成され得る。一態様では、モデム１０８は、指定されたモデム構成に基づいて、信号のＳＦＮ型送信および／または受信を可能にするために、ＵＥ１２の１つまたは複数のコンポーネント、あるいはネットワークエンティティ１４または２０（例えば、ＲＦフロントエンド１０４、トランシーバ１０６）を制御し得る。一態様では、モデム構成は、使用される周波数バンドおよびモデムのモードに基づき得る。別の態様では、モデム構成は、セル選択および／またはセル再選択中にネットワークによって提供された、ＵＥ１２に関連するＵＥ構成情報に基づき得る。
【００４４】
[0051]  いくつかの態様では、ＵＥ１２は、本明細書で使用されるデータおよび／またはローカルバージョンのアプリケーションを記憶するためのなどのメモリ１３０、あるいは、プロセッサ１０３によって実行されているセル管理コンポーネント４０および／またはセル管理コンポーネント４０の１つまたは複数のサブコンポーネントをさらに含み得る。メモリ１３０は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合せなどの、コンピュータまたはプロセッサ１０３によって使用可能な任意のタイプのコンピュータ可読媒体を含み得る。一態様では、ＵＥ１２および／またはネットワークエンティティ１４または２０が、セル管理コンポーネント４０および／またはセル管理コンポーネント４０の１つまたは複数のサブコンポーネントを実行するためにプロセッサ１０３を動作しているとき、例えば、メモリ１３０は、セル管理コンポーネント４０および／またはセル管理コンポーネント４０のサブコンポーネントのうちの１つまたは複数を定義する１つまたは複数のコンピュータ実行可能コード、および／またはそれと関連するデータを記憶する、コンピュータ可読記憶媒体であり得る。別の態様では、例えば、メモリ１３０は、非一時的コンピュータ可読記憶媒体であり得る。
【００４５】
[0052]  図１Ｂを参照すると、一態様では、図１Ａ中のワイヤレス通信システム１００と同様に、ワイヤレス通信システム１００’（例えば、５Ｇ ＮＲシステム）は、少なくともネットワークエンティティ１４および／または２０（例えば、５Ｇ ＮＲネットワーク中の基地局またはｇＮＢ、あるいはそれらの組み合わせ）の通信カバレッジ中の少なくともＵＥ１２を含み得る。ＵＥ１２は、ネットワークエンティティ１４または２０を介してネットワークと通信し得る。
【００４６】
[0053]  本明細書の態様によると、ネットワークエンティティ１４または２０は、送信管理コンポーネント６０、ＳＦＮ送信コンポーネント４８、シグナリングコンポーネント５０、および／または仮想セルＩＤコンポーネント５２との組み合わせで動作し得る、１つまたは複数のプロセッサ１０３およびメモリ１３０を含み得る。いくつかの例では、送信管理コンポーネント６０は、ＳＦＮ型通信のためのＶセルＩＤを準備、シグナリング、および／または使用するように構成され得る。一態様では、ＳＦＮ送信コンポーネント４８は、１つまたは複数のＳＦＮ型送信を決定または識別するように構成され得る。一態様では、シグナリングコンポーネント５０は、予め定められたメッセージまたは情報ブロック（例えば、ＭＩＢ、ＭＳＩＢ、またはＯＳＩ）中でＶセルＩＤを送信またはシグナリングするように構成され得る。別の態様では、仮想セルＩＤコンポーネント５２は、セルＩＤまたはＶセルＩＤを決定するように構成され得、かつＶセルＩＤを生成するかまたはセルＩＤを切り捨てし（truncate）得る、および／または本明細書で説明されるような動作に関連付けられ得る。
【００４７】
[0054]  送信管理コンポーネント６０、ＳＦＮ送信コンポーネント４８、シグナリングコンポーネント５０、および／または仮想セルＩＤコンポーネント５２は、ＶセルＩＤを実行、構成、送信、またはシグナリングするための、ハードウェア、ファームウェア、および／またはプロセッサによって実行可能なソフトウェアコードを含み得る。例えば、ハードウェアは、例えば、ハードウェア加速器、または特殊プロセッサを含み得る。
【００４８】
[0055]  さらに、一態様では、ネットワークエンティティ１４または２０は、無線送信、例えば、ワイヤレス通信２６（例えば、ビームフォーミングまたはビーム）を受信または送信するための、ＲＦフロントエンド１０４およびトランシーバ１０６を含み得る。例えば、トランシーバ１０６は、ＶセルＩＤを含む信号またはメッセージを送信または受信し得る。いくつかの例では、トランシーバ１０６は、信号品質を決定するためにおよびフィードバックを提供するために、受信信号を測定し得る。例えば、トランシーバ１０６は、送信管理コンポーネント６０によって生成されるメッセージを送信し、かつメッセージを受信するために、モデム１０８と通信し得、送信管理コンポーネント６０にそれらを転送し得る。
【００４９】
[0056]  ネットワークエンティティ１４または２０は、本明細書で使用されるデータ、および／またはアプリケーションのローカルバージョン、あるいは送信管理コンポーネント６０、および／またはプロセッサ１０３によって実行されている送信管理コンポーネント６０の１つまたは複数のサブコンポーネントなどを記憶するための、メモリ１３０をさらに含み得る。
【００５０】
[0057]  図２を参照すると、ユニキャスト送信とＳＦＮ送信との送信の２つのタイプが図示されている。一態様では、ユニキャスト送信スキーム２００は、ワイヤレス通信システム（例えば、５Ｇ ＮＲシステム）中で使用され得る。ユニキャスト送信のいくつかの実装では、信号は、単一のソース（例えば、基地局）から特定の宛先（例えば、ターゲットＵＥ）へと送信される。一例では、ユニキャスト送信スキーム２００は、ワイヤレス通信システム１００または１００’（図１Ａまたは図１Ｂ）で使用または適用され得、それらは、少なくともネットワークエンティティ１４および複数のネットワークエンティティ２０の通信カバレッジ中のＵＥ１２を含み得る。この例では、複数のセル、ネットワークエンティティ、基地局（例えば、ｇＮＢ）は、同時に信号を送信し得、ＵＥ１２は、所望の信号と干渉信号との両方を受信し得る。例えば、ＵＥ１２は、ネットワークエンティティ１４（すなわち、セル１）から所望の信号を受信し得、また、１つまたは複数のネットワークエンティティ２０から（すなわち、セル２、および／またはセル３から）望ましくない（undesired）または干渉信号を受信し得る。
【００５１】
[0058]  図２をさらに参照すると、ＳＦＮ送信スキーム２５０は、ワイヤレス通信システム（例えば、５Ｇ ＮＲシステム）中で使用され得る。いくつかの態様では、複数のセル、ＴＸＰ、および／または基地局（例えば、ｇＮＢ）は、１つまたは複数のＵＥに同じ信号（例えば、同じオーバージエア（over-the-air）波形）を送信し得る。一例では、ＳＦＮ送信スキーム２５０は、ワイヤレス通信システム１００または１００’（図１Ａまたは図１Ｂ）で使用または適用され得、それらは、少なくともネットワークエンティティ１４および複数のネットワークエンティティ２０の通信カバレッジ中のＵＥ１２を含み得る。いくつかのケースでは、複数のセル（例えば、セル１、セル２、および／またはセル３）または基地局（例えば、ネットワークエンティティ１４および複数のネットワークエンティティ２０）から送られる複数の所望の信号は、チャネル状態に対してよりロバストな、結合信号（例えば、非コヒーレント（non-coherently）に結合された信号）として受信機（例えば、ＵＥ１２）で受信され、（例えば、ユニキャスト送信スキーム２００を使用する）ユニキャスト送信よりもより広範なエリアおよび／またはより長い距離をカバーし得る。
【００５２】
[0059]  図３Ａを参照すると、一態様では、アクセスプロシージャ３００は、ＶセルＩＤのシグナリングおよび受信に関連した例を提供する。一例では、ＵＥ（例えば、図１Ａまたは図２中のモバイルデバイスまたはＵＥ１２）がブロック３０２でパワーオンされると、そのＵＥがアクセスしようと試みるセルＩＤを取得するために、ＵＥは、ブロック３０４においてセルサーチを行い得る。一態様では、取得されたセルＩＤを用いて、ＵＥは、ブロック３０６においてＭＩＢを復調または復号し得る。いくつかの例では、ＭＩＢは、ＭＳＩＢを復調または復号する（ブロック３０８）ために必要な情報、場合によってはページング（ブロック３１４）についての情報を含む、何らかの必要なシステム情報を包含または含み得る。一態様では、ＭＳＩＢが次にブロック３０８において復調または復号され得る。いくつかのケースでは、ＭＳＩＢは、ランダムアクセス（ブロック３１０）のためのシステム情報および／または他のシステム情報（ＯＳＩ）（ブロック３１２）捕捉、並びに、場合によってはページング（ブロック３１４）のための情報を含み得る。いくつかの例では、ブロック３０８、３１０、３１２、および／または３１４は、（例えば、全体のリソース消費を低減するおよび／または信頼性を向上させることによって）ＶセルＩＤを使用することから恩恵を受け得る。いくつかのケースでは、ブロック３１０におけるランダムアクセスの後に、ＵＥは、ブロック３１６において、ＲＲＣ＿ＣＯＮＮＥＣＴＥＤモードまたは状態を維持するかまたはＲＲＣ＿ＣＯＮＮＥＣＴＥＤモードまたは状態に遷移し得る。
【００５３】
[0060]  ＶセルＩＤのシグナリングの態様では、基地局（例えば、図１Ｂまたは図２中のネットワークエンティティ１４またはネットワークエンティティ２０）は、１つまたは複数のＭＳＩＢのためのＶセルＩＤをシグナリングするために、ＭＩＢを使用し得る。いくつかの実装では、１つまたは複数のＭＳＩＢの１つまたは複数のＳＦＮ型送信は、対応する制御チャネルおよび／または参照信号の１つまたは複数のＳＦＮ型送信を含み得る。例えば、セルＩＤを（例えば、ブロック３０４におけるセルサーチ中に）捕捉した後、ＵＥ（例えば、図１Ａまたは図２中のＵＥ１２）は、ＮＲ物理ブロードキャストチャネル（ＰＢＣＨ）中で受信したＭＩＢを復号し得、それは、ＭＳＩＢを送信するためのリソースを示し得る。いくつかのケースでは、複数のセル、ＴＸＰ、またはｇＮＢからの（場合によっては、対応する制御チャネルおよび／またはＲＳを含む）ＭＳＩＢの１つまたは複数のＳＦＮ型送信を可能にするために、ＶセルＩＤは、（例えば、ブロック３０６において）ＭＩＢの一部としてシグナリングまたは送信され得る。
【００５４】
[0061]  ＶセルＩＤのシグナリングの別の態様では、基地局（例えば、ネットワークエンティティ１４または２０）は、ＳＩＢの他の情報（例えば、ＳＩＢに含まれるが、ＭＳＩＢには含まれない情報）を送信するために使用されるべきＶセルＩＤをシグナリングするために、ＭＳＩＢを使用し得る。一例では、ＭＳＩＢに含まれない他のシステム情報（ＯＳＩ）が次に基地局によってブロードキャストされ得る。いくつかのケースでは、複数のセル、ＴＸＰ、またはｇＮＢからの（場合によっては、対応する制御チャネルおよび／またはＲＳを含む）ＯＳＩの１つまたは複数のＳＦＮ型送信を可能にするために、ＶセルＩＤは、（例えば、ブロック３０８において）ＭＳＩＢの一部としてシグナリングまたは送信され得る。
【００５５】
[0062]  ＶセルＩＤのシグナリングのさらに別の態様では、基地局（例えば、ネットワークエンティティ１４または２０）は、メッセージ２（Ｍｓｇ２）および／またはメッセージ３（Ｍｓｇ３）のためのＶセルＩＤをシグナリングするために、ＭＳＩＢを使用し得る。一例では、ＭＳＩＢは、物理ランダムアクセスチャネル（ＰＲＡＣＨ）のためのリソースを示し、ＵＥ（例えば、ＵＥ１２）は、ＰＲＡＣＨ上で（例えば、ブロック３１０において）ランダムアクセスを行い得る。いくつかのケースでは、複数のセル、ＴＸＰ、またはｇＮＢからの（場合によっては、対応する制御チャネルおよび／またはＲＳを含む）Ｍｓｇ２および／またはＭｓｇ３の１つまたは複数のＳＦＮ型送信を可能にするために、ＶセルＩＤは、（例えば、ブロック３０８において）ＭＳＩＢの一部としてシグナリングまたは送信され得る。
【００５６】
[0063]  ＶセルＩＤのシグナリングの態様では、基地局（例えば、ネットワークエンティティ１４または２０）は、（例えば、ブロック３１４において）ページングのためのＶセルＩＤをシグナリング、送信、または配信するために、ＭＩＢ、ＭＳＩＢ、またはＯＳＩを使用し得る。いくつかの例では、ＯＳＩは、比較的重要ではないおよび／または比較的緊急ではないシステム情報（例えば、共通または制御情報）を搬送し得る。いくつかのケースでは、（場合によっては、対応する制御チャネルおよび／またはＲＳを含む）アイドルモード中のＵＥ（例えば、ＵＥ１２）への、複数のセル、ＴＸＰ、またはｇＮＢからのページングメッセージの１つまたは複数のＳＦＮ型送信を可能にするために、ＶセルＩＤは、（例えば、ブロック３０６における）ＭＩＢ、（例えば、ブロック３０８における）ＭＳＩＢ、または（例えば、ブロック３１２における）ＯＳＩの一部としてシグナリングまたは送信され得る。
【００５７】
[0064]  図３Ｂを参照すると、一態様では、アクセスプロシージャ３００と同様に、アクセスプロシージャ３５０は、ＶセルＩＤのシグナリングおよび受信に関連した例を提供する。いくつかのケースでは、シグナリングオーバーヘッドを低減するために、同じＶセルＩＤがブロック３１０におけるランダムアクセス（例えば、Ｍｓｇ２および／またはＭｓｇ３）とブロック３１４におけるページングとの両方のために使用され得る。具体的には、例えば、ＭＳＩＢ送信（ブロック３０８）のためのＭＩＢ（ブロック３０６）におけるＶセルＩＤが、図３Ｂで示されるような他の処理（other processes）（例えば、ブロック３１０におけるランダムアクセス、ブロック３１２におけるＯＳＩ、および／またはブロック３１４におけるページング）のためにもまた使用され得るかどうかを示すために、ＭＩＢ（ブロック３０６）において１ビットフラグが使用され得る。いくつかの実装では、１ビットフラグは、「０」または「１」として設定または構成され得る。例えば、ＭＩＢ（ブロック３０６）中の１ビットフラグが「０」に設定または構成されるとき、図３Ｂに示されるような実線のフローが使用され得る。この例では、ＭＳＩＢ送信のためのＭＩＢ中のＶセルＩＤは、他の処理のためには使用されない可能性がある。別の例では、ＭＩＢ（ブロック３０６）中の１ビットフラグが「１」に設定または構成されるとき、図３Ｂに示されるような破線のフローが使用され得る。このケースでは、ＭＳＩＢ（ブロック３０８）のためのＭＩＢ中のＶセルＩＤはまた、他の処理、例えば、ブロック３１０におけるランダムアクセス、ブロック３１２におけるＯＳＩ、および／またはブロック３１４におけるページングのために使用され得る。いくつかの例では、フラグがアクティブではない場合にのみ、他の処理のためのフルＶセルＩＤ（full V-cell ID）がＭＳＩＢ（ブロック３０８）またはＯＳＩ（ブロック３１２）に含まれ得る。
【００５８】
[0065]  図４を参照すると、一態様では、表４００は、ＶセルＩＤをシグナリングするための図２中のＳＦＮ型送信スキーム２５０によって使用され得る。表４００に示されるように、セルＩＤで使用されるビットよりも少ないビットがＶセルＩＤで使用され得る。いくつかのケースでは、ＶセルＩＤは、通常のセルＩＤの切り捨てされたバージョン（truncated version）であり得る。一例では、フルＶセルＩＤを搬送する代わりに、切り捨てされたビットの数（the number of truncated bits）がＶセルＩＤの切り捨てされたバージョンに指定され得る。いくつかのケースでは、切り捨てされたビットの数および／またはロケーションは、ＭＩＢの一部として、シグナリングされるか、またはあらかじめ定められ得る。このケースでは、同じＶセルＩＤを有するよう意図されたセルが、切り捨てされた部分のみ異なるセルＩＤを与えられるように、いくつかのセルＩＤプランニング（cell ID planning）が必要とされ得る。例えば、ＳＦＮ（例えば、ＳＦＮ型送信スキーム２５０）は、３つのセル（セル１、２、および３）を含み得、各セルは、６ビットのセルＩＤと４ビットのＶセルＩＤとを有し得る。この例では、各ＶセルＩＤは、対応するセルＩＤの２つの最下位ビット（ＬＳＢ：least significant bits）を切り捨てることによって取得される。
【００５９】
[0066]  図５を参照すると、ある動作の態様では、ＵＥ１２（図１Ａおよび図２）などのＵＥは、ワイヤレス通信システム（例えば、５Ｇ ＮＲシステム）中でＶセルＩＤをシグナリングおよび受信するために、方法５００のうちの１つまたは複数の態様を行い得る。例えば、プロセッサ１０３、メモリ１３０、モデム１０８、トランシーバ１０６、セル管理コンポーネント４０、セルサーチコンポーネント４２、デコーダ４４、および／または識別器４６のうちの１つまたは複数が、方法５００の態様を行うように構成され得る。
【００６０】
[0067]  一態様では、ブロック５０２において、方法５００は、ＵＥによって、セルＩＤを取得するためにセルサーチを行うことを含み得る。一態様では、例えば、プロセッサ１０３、メモリ１３０、モデム１０８、および／またはトランシーバ１０６のうちの１つまたは複数とともに、例えば、セル管理コンポーネント４０および／またはセルサーチコンポーネント４２（図１Ａ）は、セルＩＤを取得するためにセルサーチを行うように構成され得る。
【００６１】
[0068]  別の態様では、ブロック５０４において、方法５００は、ＵＥによって、セルＩＤに基づいてメッセージを復号することを含み得、メッセージは、マスタ情報ブロックを含む。一態様では、例えば、プロセッサ１０３、メモリ１３０、モデム１０８、および／またはトランシーバ１０６のうちの１つまたは複数とともに、例えば、セル管理コンポーネント４０および／またはデコーダ４４（図１Ａ）は、セルＩＤに基づいてメッセージを復号するように構成され得る。いくつかの例では、メッセージは、ＭＩＢを含み得る。別の例では、メッセージは、ＭＳＩＢまたはＯＳＩを含み得る。
【００６２】
[0069]  一態様では、ブロック５０６において、方法５００は、ＵＥによって、メッセージから復号された情報に基づいて、ＳＦＮ型送信のために使用される仮想セルＩＤを識別することを含み得る。一態様では、例えば、プロセッサ１０３、メモリ１３０、モデム１０８、および／またはトランシーバ１０６のうちの１つまたは複数とともに、例えば、セル管理コンポーネント４０および／または識別器４６は、ブロック５０４において、メッセージから復号された情報に基づいて、ＳＦＮ型送信のために使用される仮想セルＩＤを識別するように構成される。
【００６３】
[0070]  一態様では、ブロック５０８において、方法５００は、オプションで、ＵＥによって、仮想セルＩＤに基づいて複数のセルからＳＦＮ型送信を受信することを含み得る。一態様では、例えば、プロセッサ１０３、メモリ１３０、モデム１０８、および／またはトランシーバ１０６のうちの１つまたは複数とともに、例えば、セル管理コンポーネント４０は、仮想セルＩＤに基づいて複数のセルからＳＦＮ型送信を受信するように構成され得る。
【００６４】
[0071]  図６を参照すると、任意の態様では、ネットワークエンティティ１４またはネットワークエンティティ２０（図１Ｂ）などのネットワークエンティティは、ワイヤレス通信システム（例えば、５Ｇ ＮＲシステム）中でＵＥ（例えば、ＵＥ１２）にＶセルＩＤをシグナリングするために、方法６００の１つまたは複数の態様を行い得る。例えば、プロセッサ１０３、メモリ１３０、モデム１０８、トランシーバ１０６、送信管理コンポーネント６０、ＳＦＮ送信コンポーネント４８、シグナリングコンポーネント５０、および／または仮想セルＩＤコンポーネント５２のうちの１つまたは複数が、方法６００の態様を行うように構成され得る。
【００６５】
[0072]  一態様では、ブロック６０２において、方法６００は、基地局によって、１つまたは複数のＳＦＮ型送信を決定することを含み得る。一態様では、例えば、プロセッサ１０３、メモリ１３０、モデム１０８、および／またはトランシーバ１０６のうちの１つまたは複数とともに、例えば、送信管理コンポーネント６０および／またはＳＦＮ送信コンポーネント４８は、１つまたは複数のＳＦＮ型送信を決定するように構成され得る。いくつかの例では、１つまたは複数のＳＦＮ型送信は、ブロードキャストメッセージまたはページングメッセージ、および／またはＭＩＢ、ＭＳＩＢ、またはＯＳＩの送信であり得る。
【００６６】
[0073]  いくつかの態様では、ブロック６０４において、方法６００は、セルＩＤに基づいてメッセージをブロードキャストすることを含み得、メッセージは、マスタ情報ブロックを含む。いくつかの態様では、例えば、プロセッサ１０３、メモリ１３０、モデム１０８、および／またはトランシーバ１０６のうちの１つまたは複数とともに、送信管理コンポーネント６０、および／またはシグナリングコンポーネント５０は、セルＩＤに基づいてメッセージをブロードキャストするように構成され得る。ある特定の例では、メッセージは、ＭＩＢを含み得る。別の例では、メッセージは、ＭＳＩＢまたはＯＳＩを含み得る。
【００６７】
[0074]  一態様では、ブロック６０６において、方法６００は、基地局によって、決定された１つまたは複数のＳＦＮ型送信のために使用される仮想セルＩＤを送ることを含み得る。一態様では、例えば、プロセッサ１０３、メモリ１３０、モデム１０８、および／またはトランシーバ１０６のうちの１つまたは複数とともに、例えば、送信管理コンポーネント６０、ＳＦＮ送信コンポーネント４８、シグナリングコンポーネント５０、および／または仮想セルＩＤコンポーネント５２は、ブロック６０２において決定された１つまたは複数のＳＦＮ型送信のために使用される仮想セルＩＤを送るまたはシグナリングするように構成され得る。いくつかの例では、仮想セルＩＤは、ＭＩＢ、ＭＳＩＢ、またはＯＳＩに含まれ得る。
【００６８】
[0075]  説明を簡単にするために、本明細書で説明される方法は、一連の動作として示され説明されるが、いくつかの動作は、１つまたは複数の態様に従って、本明細書で示され説明されるものとは異なる順序で、および／または他の動作と同時に発生し得るため、方法（およびそれらに関連するさらなる方法）は、動作の順序によって限定されないことを理解および認識されたい。例えば、方法は、状態図など、一連の相互に関係する状態またはイベントとして代替的に表現され得ることを認識されたい。さらに、本明細書で説明された１つまたは複数の特徴に従って方法を実装するために、全ての例示された動作が、必要ではない可能性がある。
【００６９】
[0076]  電気通信システムのいくつかの態様は、ＬＴＥ／ＬＴＥ−Ａまたは５Ｇ ＮＲシステムに関連して提示されている。当業者は、本開示を通して説明された様々な態様が他の電気通信システム、ネットワークアーキテクチャ、および通信規格にまで拡大され得ることを、容易に理解するだろう。
【００７０】
[0077]  例として、様々な態様は、高速ダウンリンクパケットアクセス（ＨＳＤＰＡ）、高速アップリンクパケットアクセス（ＨＳＵＰＡ）、高速パケットアクセスプラス（ＨＳＰＡ＋）およびＴＤ−ＣＤＭＡなどの他の通信システムに拡張され得る。様々な態様はまた、ロングタームエボリューション（ＬＴＥ）（ＦＤＤ、ＴＤＤ、または両方のモードにおける）、ＬＴＥアドバンスト（ＬＴＥ−Ａ）（ＦＤＤ、ＴＤＤ、または両方のモードにおける）、ＣＤＭＡ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）、および／または他の適切なシステムを用いるシステムにも拡張され得る。採用される実際の電気通信規格、ネットワークアーキテクチャ、および／または通信規格は、システムに課される全体の設計制約および特定のアプリケーションに依存するだろう。
【００７１】
[0078]  開示された方法におけるステップの特定の順序または階層は、例示的なプロセスの例示であることが理解されるべきである。設計の選好に基づいて、方法におけるステップの特定の順序または階層は、並べ替えられ得ることを理解されたい。添付する方法の請求項は、本明細書に特に記載されない限り、サンプルの順序において、様々なステップの要素を提示し、提示された特定の順序または階層に限定することを意図しない。
【００７２】
[0079]  以上の説明は、本明細書で説明される様々な態様を当業者が実施可能となるように提供したものである。これらの態様に対する様々な変更は、当業者には容易に明らかであり、本明細書で定義した一般的原理は他の態様に適用され得る。よって、特許請求の範囲は、本明細書に示される態様に限定されるものではなく、特許請求の範囲の文言に矛盾しない最大限の範囲を与えられるべきであり、ここで、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。項目のリスト「のうちの少なくとも１つ」に関するフレーズは、単一の要素を含む、これらの項目のうちの任意の組み合わせを指す。例として、「ａ、ｂ、またはｃのうちの少なくとも１つ」は、ａ、ｂ、ｃ、ａおよびｂ、ａおよびｃ、ｂおよびｃ、並びに、ａ、ｂおよびｃをカバーすることを意図する。当業者に知られている、または後に知られることになる、本開示全体にわたって説明した様々な態様の要素の全ての構造的および機能的均等物は、参照により本明細書に明示的に組み込まれ、特許請求の範囲に包含されることが意図されている。さらに、本明細書に開示したいかなることも、そのような開示が特許請求の範囲に明示的に記載されているかどうかに関わらず、公衆に献呈されるものではない。
【図１Ａ】
2020523878.tif 000003
【図１Ｂ】
2020523878.tif 000004
【図２】
2020523878.tif 000005
【図３Ａ】
2020523878.tif 000006
【図３Ｂ】
2020523878.tif 000007
【図４】
2020523878.tif 000008
【図５】
2020523878.tif 000009
【図６】
2020523878.tif 000010
【国際調査報告】
2020523878.tif 000011
2020523878.tif 000012
2020523878.tif 000013